(57)【特許請求の範囲】
【請求項１】
かごの側板の内側にブラケットを介して固定されるボックスと、このボックスに固定部を介して取り付けられるフェースプレートを備えたエレベータのかご操作盤において、前記ボックスは前記ブラケットに固定される固定ボックスと、この固定ボックスに挿入される調整ボックスとから構成されるとともに、長円穴が形成された前記調整ボックスとめねじ穴が形成された前記固定ボックスとを締結具により調整固定可能に締結したことを特徴とするエレベータのかご操作盤。
【請求項２】
前記固定部は、前記固定ボックスに片側が固定され他側に長穴が形成された固定側固定具と、この固定側固定具に片側が締結具で固定され他側で前記フェースプレートを固定する可動側固定部とから構成されることを特徴とする請求項１記載のエレベータのかご操作盤。
【請求項３】
前記調整ボックスの端部に前記フェースプレートを固定する固定部を形成したことを特徴とする請求項１記載のエレベータのかご操作盤。
【請求項４】
かごの側板の内側にブラケットを介して固定されるボックスと、このボックスに固定部を介して取り付けられるフェースプレートを備えたエレベータのかご操作盤において、前記ボックスは前記ブラケットに固定される固定ボックスと、この固定ボックスに挿入される第１の調整ボックスと、前記第１の調整ボックスの間に挿入される第２の調整ボックスとから構成されるとともに、長円穴が形成された前記第１の調整ボックスとめねじ穴が形成された前記固定ボックスとを締結具により調整固定可能に締結したことを特徴とするエレベータのかご操作盤。
【請求項５】
前記固定部を、前記フェースプレートの裏面に固定された板ばねとしたことを特徴とする請求項１又は４記載のエレベータのかご操作盤。
【発明の詳細な説明】
【０００１】
【発明の属する技術分野】
本発明は、エレベータのかご操作盤に関する。
【０００２】
【従来の技術】
図６は、従来のエレベータのかご操作盤の一例を示す図で、（ａ）は正面図、（ｂ）は（ａ）で示したフェースプレート３Ａを取り外して内部のボックスなどを示す図、（ｃ）は（ｂ）のＦ−Ｆ断面図である。
【０００３】
このうち、図６（ａ）において、フェースプレート３Ａの上部には、かごの着床階数を示すＬＥＤを組み込んだ表示器７が設けられ、この表示器７の下側には、ドア開閉ボタン８が左右に設けられている。
【０００４】
このドア開閉ボタン８の下側には、行先階ボタン９が上下に設けられ、フェースプレート３Ａの上下には、このフェースプレート３Ａを以下説明するボックスに固定する化粧ねじ16が示されている。
【０００５】
図６（ｂ），（ｃ）において、出入口柱20と側板14との間に設けられたリターンパネル１には、上下方向に長い長方形の開口部が形成されている。
この開口部の上側と下側には、リターンパネル１の裏面に対して、図６（ｃ）においてＬ字形に形成されたブラケット４の前端面が対称的に固定されている。
【０００６】
上下のブラケット４の間には、図６（ｃ）においてはコ字状に形成された軟鋼板製のボックス２Ｆが前方から挿入されている。このボックス２Ｆの上端面と上方のブラケット４の下面との間には、複数枚のスペーサ17が挿入されている。
【０００７】
このボックス２Ｆは、このボックス２Ｆの上部の内側からスペーサ17を貫通し、ブラケット４の下部上面に溶接された溶接ナット19に先端が螺合するボルト18によって、上部が上側のブラケット４に固定されている。
【０００８】
一方、ボックス２Ｆの下部にも、ボルト18が上方から貫挿され、このボルト18は、下側のブラケット４の下面に溶接された溶接ナット19に螺合されることで、ボックス２Ｆの下部をブラケット４に固定している。
【０００９】
ボックス２Ｆの上下端の内側には、図６（ｃ）においてＬ字形に形成された固定金具11Ｂがスポット溶接で固定され、この固定金具11Ｂの前面側には、図６（ａ）で示した化粧ねじ16が螺合するめねじ穴があらかじめ加工されている。
【００１０】
このように構成されたエレベータのかご操作盤においては、フェースプレートに固定される上下のブラケット４の取付位置の僅かな誤差及びボックス２Ｆの僅かな製作誤差によって、上側のブラケット４の下面とボックス２の上面との間の隙間がばらつき、ボルト18による締付でボックス２の上部が変形するおそれがあるので、その都度スペーサ17で調整されている。
【００１１】
【発明が解決しようとする課題】
ところが、このようにスペーサで調整しながら組み立てるエレベータのかご操作盤においては、このスペーサの調整作業のために、かご操作盤の組立時間が長くなるおそれがある。
【００１２】
なぜならば、この調整作業は、ブラケット４とボックス２Ｆが軟鋼板の曲げ加工で製作されている関係で、これらの隙間が全面に亘って必ずしも平行でない場合があり、さらに、組立上リターンパネル１の（ｂ），（ｃ）で示す開口長よりもボックス２Ｆの高さを低くしなければならないからである。
【００１３】
すなわち、ボックスの上面にスペーサを載せてボックスを挿入する過程では、途中までは挿入できるがそれ以後は挿入できない場合があり、またその逆もある。
【００１４】
したがって、ボックスとブラケットとの間を隙間ゲージなどで測定しただけでは、スペーサの板厚が決まらない場合があり、試行錯誤の作業となる場合がある。
【００１５】
すると、スペーサの板厚の種類が増えるだけでなく、このエレベータが設置されるビルの他の工事のために限られた日程内には、試運転を含めた据付工事を終えることができなくなるおそれもある。
そこで、本発明の目的は、据付工事の遅延のおそれを解消することのできるエレベータのかご操作盤を得ることである。
【００１６】
【課題を解決するための手段】
請求項１に対応する発明は、かごの側板の内側にブラケットを介して固定されるボックスと、このボックスに固定部を介して取り付けられるフェースプレートを備えたエレベータのかご操作盤において、前記ボックスは前記ブラケットに固定される固定ボックスと、この固定ボックスに挿入される調整ボックスとから構成されるとともに、長円穴が形成された前記調整ボックスとめねじ穴が形成された前記固定ボックスとを締結具により調整固定可能に締結したことを特徴とする。
【００１８】
また、特に請求項２に対応する発明のエレベータのかご操作盤は、前記固定部は、前記固定ボックスに片側が固定され他側に長穴が形成された固定側固定具と、この固定側固定具に片側が締結具で固定され他側で前記フェースプレートを固定する可動側固定部とから構成されることを特徴とする。
【００１９】
また、特に請求項３に対応する発明のエレベータのかご操作盤は、前記調整ボックスの端部に前記フェースプレートを固定する固定部を形成したことを特徴とする。
【００２０】
さらに、特に請求項４に対応する発明のエレベータのかご操作盤は、かごの側板の内側にブラケットを介して固定されるボックスと、このボックスに固定部を介して取り付けられるフェースプレートを備えたエレベータのかご操作盤において、前記ボックスは前記ブラケットに固定される固定ボックスと、この固定ボックスに挿入される第１の調整ボックスと、前記第１の調整ボックスの間に挿入される第２の調整ボックスとから構成されるとともに、長円穴が形成された前記第１の調整ボックスとめねじ穴が形成された前記固定ボックスとを締結具により調整固定可能に締結したことを特徴とし、請求項５に対応する発明のエレベータのかご操作盤は、固定部をフェースプレートの裏面に固定された板ばねとしたことを特徴とする。
このような手段によって、本発明では、ボックス取付時におけるブラケット間へのスペーサ挿入調整作業を省略する。
【００２１】
【発明の実施の形態】
以下、本発明のエレベータのかご操作盤の一実施形態を図面を参照して説明する。
図１は、本発明のエレベータのかご操作盤の第１の実施形態を示す図で、従来の技術で示した図６に対応し、この図６と同様に、（ａ）は正面図、（ｂ）は（ａ）で示したフェースプレート３Ａを外した状態を示す正面図、（ｃ）は（ｂ）のＡ−Ａ断面図である。
【００２２】
図１において、従来の技術で示した図６と異なるところは、ボックスの構成で、他は図６と同一である。したがって、この図６と同一要素には、同一符号を付して説明を省略する。
【００２３】
すなわち、図１で示したボックス２Ａは、中央部の調整ボックス６Ａと、この上下に内側が嵌合して締結結合される固定ボックス５Ａで構成されており、図６で示したスペーサ17は組み込まれていない。
【００２４】
このうち、中央の調整ボックス６Ａは、図示しない平面図ではＵ字状に形成され、ボックス２Ａの高さの約２分の１の高さとなっている。
この調整ボックス６Ａの中央部の上下には、上下の固定ボックス５Ａを締結する小ねじ15が挿入される長円穴21が縦に形成されている。
【００２５】
さらに、上側の固定ボックス５Ａの上部の下面には、図６（ｂ）で示した固定金具11Ｂと外形が同形の固定金具10がスポット溶接で固定され、この固定金具10の右側には、図示しない長円穴が図１（ｃ）において左右方向に形成されている。
【００２６】
この固定金具10の右側面には、固定金具11Ｂと同形の固定金具11Ａの左側が添設され、この固定金具11Ａの左側には、固定金具10に形成された長円穴の中央部と対向する位置に対して、めねじ穴11ａが図１（ｃ）に示すように加工されている。
【００２７】
固定金具11Ａは、固定金具10の長円穴に左側から挿入され、固定金具11Ａのめねじ穴に螺合されたボルトで固定金具10に固定されている。
下側の固定ボックス５Ａの下部上面には、従来の技術で示した図６（ｃ）で示した固定金具11Ｂと同様に、固定金具11Ｂがスポット溶接で固定されている。
【００２８】
このように構成されたエレベータのかご操作盤においては、上側の固定ボックス５Ａは、スペーサを用いることなく上側のブラケット４に対してボルト18で直接固定する。
【００２９】
但し、上側の固定ボックス５Ａに対して固定金具10を介して固定される固定金具11Ａは、この固定金具11Ａに形成されためねじ穴11ａと下側の固定金具11Ｂに形成されためねじ穴11ｂとの間隔をフェースプレート３Ａの上下に形成された締付穴に合わせて固定する。
【００３０】
調整ボックス６Ａを上下の固定ボックス５Ａに締結する小ねじ15は、上下の固定ボックス５Ａを上下のブラケット４に固定した後に行う。
このようにボックスが構成されたエレベータの操作盤においては、上下のブラケットのリターンパネル１に対する溶接位置が多少ばらついた場合でも、小ねじ15の締結作業を最後に行うことで、組み立てることができる。
【００３１】
さらに、上下の固定金具11Ａ，11Ｂの固定間隔は、固定金具10に対する固定金具11Ａの位置を調整し、フェースプレート３Ａの上下の締付穴に合わせることで、化粧ねじ16の締め付けを行うことができ、従来のような試行錯誤の調整スペーサの挿脱作業を省くことができ、組立時間を短縮し、且つ一定とすることができるので、エレベータの据付工事の遅延のおそれを解消することができる。
【００３２】
次に、図２は、本発明のエレベータの操作盤の第２の実施形態を示す図で、（ａ）は正面図、（ｂ）は（ａ）においてフェースプレートを外した状態の正面図、（ｃ）は（ｂ）のＢ−Ｂ断面図で、操作盤の高さが高くなった場合を示す。
【００３３】
図２において、前述した図１と異なるところは、図１と同様にボックスの構成で、調整ボックスが２種類の３個となっていることと、固定ボックスの底部に対して、めねじ穴の代りに長円穴が形成されていることである。
【００３４】
すなわち、図２（ｂ），（ｃ）に示したボックス２Ｂにおいては、調整ボックスは、中央部に組み込まれ、図１に示した調整ボックス６Ａと外形が同一で幅が上下の固定ボックス５Ａと同一の調整ボックス６Ｂと、この調整ボックス６Ｂの上下に重ねられ内側の幅が固定ボックス５Ａの外側の幅と同一の調整ボックス７Ａとで構成されている。
【００３５】
このうち、中央の調整ボックス６Ｂの底部には、図１で示した調整ボックス６Ａに形成された長円穴21の代りに、丸穴が加工されている。
一方、上下の調整ボックス７Ａには、底部中央の上下に対して図示しないめねじ穴が形成され、上下の固定ボックス５Ｂと中央の調整ボックス６Ｂの外側に内側が嵌合している。
【００３６】
このようにボックスが構成されたエレベータの操作盤においても、上下の固定ボックス５Ｂは、調整スペーサを用いることなく、ブラケット４に直接固定し、中間部の調整ボックス６Ｂ，７Ａは、小ねじ15で締結した後、上下の固定ボックス５Ｂとは最後に小ねじ15で固定することで、ブラケット４の溶接位置が僅かにばらついても、固定金具10，11Ａ間の締付を、フェースプレート３Ｂの上下の化粧ねじ16の締付用穴の間隔に合わせて締め付けることで、容易且つ短時間に組み込むことができる。
【００３７】
なお、図２（ａ）に示すように、このフェースプレート３Ｂには、５階床分の行先階ボタン９が示されている他は、図１で示したフェースプレート３Ａと同一であり、例えば、８階床，10階床と階床が増えて、ボックスの高さも高くなる場合には、図２（ｂ），（ｃ）で示した調整ボックス６Ｂ，７Ａを増やすことで対応する。
【００３８】
すなわち、調整ボックスは、図２（ｂ），（ｃ）で示した調整ボックス６Ｂ，７Ａの２種類あれば、あらかじめ部品を貯蔵しておくことで、任意の階床のエレベータの操作盤にも短納期で対応することができる。
【００３９】
次に、図３は、本発明のエレベータの操作盤の第３の実施形態を示す図である。
図３において、第１の実施形態で示した図１と異なるところは、フェースプレートの固定構造である。
【００４０】
すなわち、図３（ｂ），（ｃ）に示した固定ブラケット５Ａには、図１及び図２で示した固定金具10，11Ａは固定されていない。また、調整ボックス６Ｃは、上下の固定ブラケット５Ａの上下端の対向面とほぼ同一高さとなっている。
【００４１】
この調整ボックス６Ｃの上下端の前端左右には、内側に折り曲げられて請求項４の固定部となる固定部６ａが形成され、この固定部６ａに対してめねじ穴が形成されている。
この場合には、図１，図２で示した上下の固定金具を省くことができるので、ボックス２Ｃの製作が容易となる利点がある。
【００４２】
図４は、本発明のエレベータの操作パネルの第４の実施形態を示す図で、前述した実施形態で示した図１〜図３に対応し、フェースプレートは省略したが、化粧ねじ16による締付箇所は、上下の中央部のみとなっている。
【００４３】
また、ボックス２Ｄを構成する調整ボックス７Ｂは、固定ボックス５Ａよりも幅が広くなっており、この調整ボックス７Ｂの内側に対して、上下の固定ボックス５Ａの外側が嵌合している。小ねじ15による締結構造は、図１と同一である。
この場合には、特にフェースプレートの組み込みや保守点検時間を短縮することができる利点がある。
【００４４】
次に図５は、本発明のエレベータの操作盤の第５の実施形態を示す図で、請求項６に対応し、図１で示した固定ボックス５Ａに固定された固定具10，11Ａ，11Ｂを省き、フェースプレート側に板ばねを代りに取り付けたことである。
【００４５】
すなわち、図５（ａ）に示したフェースプレート３Ａには、裏面の上下左右に対して、略Ｚ字形状に形成されたばね用ステンレス鋼板製の板ばね12が左右対称的に設けられ、基端が一対の小ねじでフェースプレート３Ａに固定されている。
【００４６】
この場合には、板ばね12によってフェースプレート３Ａをボックス２Ｅに固定することで、固定金具の組み込みを省くことができるだけでなく、保守・点検時の取外し、取付を省くことができるので、保守・点検時の作業時間を短縮することができる。
なお、この板ばね12は、左右の基端が共通な図示しない平面図ではＵ字状として、組み込みを更に容易にしてもよい。
【００４７】
【発明の効果】
以上、本発明によれば、かごの側板の内側にブラケットを介して固定されるボックスと、このボックスに固定部を介して取り付けられるフェースプレートを備えたエレベータのかご操作盤において、ブラケットに固定される固定ボックスとこの固定ボックスの対向側に挿入され固定ボックスに調整固定可能に設けられた調整ボックスとでボックスを構成して、ボックス取付時におけるブラケット間へのスペーサ挿入調整作業を省略したので、据付工事の遅延のおそれを解消することのできるエレベータのかご操作盤を得ることができる。
【００４８】
また、本発明によれば、固定ボックスの対向側と調整ボックスの挿入側の片側に締結具が螺合されるめねじ穴を形成し、このめねじ穴に対向する長円穴を他側に形成して、ブラケットの取付誤差に対応し、ボックス取付時におけるブラケット間へのスペーサ挿入調整作業を省略したので、据付工事の遅延のおそれを解消することのできるエレベータのかご操作盤を得ることができる。
【００４９】
また、本発明によれば、固定ボックスに設けられた固定部を、固定ボックスに片側が固定され他側に長穴が形成された固定側固定具と、この固定側固定具に片側が締結具で固定され他側でフェースプレートを固定する可動側固定部とで構成して、ブラケットの取付誤差に対応し、ボックス取付時におけるブラケット間へのスペーサ挿入調整作業を省略したので、据付工事の遅延のおそれを解消することのできるエレベータのかご操作盤を得ることができる。
【００５０】
また、本発明によれば、調整ボックスの端部に対して、フェースプレートを固定する固定部を形成して、部品の数を減らし、ボックス取付時におけるブラケット間へのスペーサ挿入調整作業も省略したので、据付工事の遅延のおそれを解消することのできるエレベータのかご操作盤を得ることができる。
【００５１】
さらに、本発明によれば、固定ボックスに長穴を介して締結固定される第１の調整ボックスと、この調整ボックスの間に挿入される第２の調整ボックスとで調整ボックスを構成し、請求項６に対応する発明によれば、固定部をフェースプレートの裏面に固定された板ばねとして、フェースプレートの着脱を容易にし、ボックス取付時におけるブラケット間へのスペーサ挿入調整作業も省略したので、据付工事の遅延のおそれを解消することのできるエレベータのかご操作盤を得ることができる。
【図面の簡単な説明】
【図１】本発明のエレベータのかご操作盤の第１の実施形態を示す図で、（ａ）は正面図、（ｂ）は（ａ）においてフェースプレートを取り外した状態を示す正面図、（ｃ）は（ｂ）のＡ−Ａ断面図。
【図２】本発明のエレベータのかご操作盤の第２の実施形態を示す図で、（ａ）は正面図、（ｂ）は（ａ）においてフェースプレートを取り外した状態を示す正面図、（ｃ）は（ｂ）のＢ−Ｂ断面図。
【図３】本発明のエレベータのかご操作盤の第３の実施形態を示す図で、（ａ）は正面図、（ｂ）は（ａ）においてフェースプレートを取り外した状態を示す正面図、（ｃ）は（ｂ）のＣ−Ｃ断面図。
【図４】本発明のエレベータのかご操作盤の第４の実施形態を示す図で、（ａ）はフェースプレートを取り外した状態を示す正面図、（ｃ）は（ｂ）のＤ−Ｄ断面図。
【図５】本発明のエレベータのかご操作盤の第５の実施形態を示す図で、（ａ）はフェースプレートの正面図、（ｂ）はフェースプレートを取り外した状態を示す正面図、（ｃ）は（ｂ）のＥ−Ｅ断面図。
【図６】従来のエレベータのかご操作盤の一例を示す図で、（ａ）は正面図、（ｂ）は（ａ）においてフェースプレートを取り外した状態を示す正面図、（ｃ）は（ｂ）のＦ−Ｆ断面図。
【符号の説明】
１…リターンパネル、２Ａ，２Ｂ，２Ｃ，２Ｄ，２Ｅ…ボックス、３Ａ，３Ｂ…フェースプレート、４…ブラケット、５Ａ，５Ｂ…固定ボックス、６Ａ，６Ｂ，６Ｃ，７Ａ，７Ｂ…調整ボックス、８…ドア開閉ボタン、９…行先階ボタン、10，11Ａ，11Ｂ…固定金具、12…板ばね、14…側板、15…小ねじ、16…化粧ねじ、17…スペーサ、18…ボルト、19…溶接ナット、20…出入口柱、21…長円穴。
【図１】
0004046810.tif 000002
【図２】
0004046810.tif 000003
【図３】
0004046810.tif 000004
【図４】
0004046810.tif 000005
【図５】
0004046810.tif 000006
【図６】
0004046810.tif 000007